(57)【要約】      （修正有）【課題】パターをストロークしてボールを打出す時、打者がヘッドの回転力を敏感に感じ取り、ボールを所定の方向に真っ直ぐ打ち出せるようにする。【解決手段】パター（１１）におけるヘッド（１２）のブレード（１３）において、ブレード背面の垂直部材（１３Ｂ）の中央が空洞（１５）になっている部分にバランス部材（２８）を取り付けて、打球時に働く慣性モーメントによるヘッド（１２）の回転力を抑制したり、又はパター（７１）において、ヘッド（７２）のブレード（７３）の打球面背面で、ヘッド（７２）の中央付近に空洞（７９）を設けて、打球時に働く慣性モーメントの回転力を敏感に感じ取り、打者がパター（７１）をストロークする時にコントロールをして所定の方向にボールを真っ直ぐに打出すことができる。【選択図】図３
2004181183.tif 000002
【特許請求の範囲】
【請求項１】
ヘッドのフェース背面で、該ヘッドの打球方向の、重心に近い中央付近に、複数個のヘッドバランス部材を取り付けたことおよび／または、複数個の空洞部を設けて、該ヘッドのバランスを取ることを特徴とする、ゴルフクラブヘッド。
【請求項２】
該ゴルフクラブヘッドはパターである請求項−１に記載のゴルフクラブヘッド。
【発明の詳細な説明】
【０００１】
【発明の属する技術分野】
本発明は、パター、アイアン、ウッド等のゴルフクラブのヘッドに関するものである。
【０００２】
【従来の技術】
従来、例えば図−１０に示すように、ヘッド（２）と、該ヘッド（２）にネック（６）を介して取り付けられている、シャフト（７）とからなるパター（１）において、該パター（１）は、ヘッド（２）に、ネック（６）を介して、シャフト（７）が、垂直軸（Ｇ）より１０度以上の角度（θ）をもって、打者側に傾斜して取り付けられていることから、該シャフト（７）を持って、ボールを打出す打球時に、ヘッド（２）は、ネック（６）の取り付け部（Ｏ）を中心として、回転が起りやすく、打球方向の狂いが生じやすい欠点があるとされている。
【０００３】
【発明が解決しようとする課題】
図−１０に示す、パター（１）のヘッド（２）を、Ｘ軸方向で垂直に切断すると、該ヘッド（２）の断面形状はＬ型をしており、Ｌ型の垂直部であるブレード部材（３）と、水平部のソール部材（４）と、カウンタ部材のウエイト（５）が、Ｌ型コーナー部のヘッド（２）の先端（５Ｂ）と該ヘッド（２）の後端（５Ａ）に取り付けられているのが提供されている。
【０００４】
なお、ヘッド（２）を、図−１０に示されているＹ軸方向で、垂直に切断をして、ヘッド（２）を分解すると、図−１１に示す部材で構成されている。
従来の、断面Ｌ型のパター（１）は、ヘッド（２）に、ネック（６）を介して、シャフト（７）が、垂直軸（Ｇ）より１０度以上の角度（θ）をもって、打者側に傾斜して取り付けられていることから、該シャフト（７）を持ってボールを打出す打球時には、ネック（６）の取り付け部（Ｏ）を中心としてヘッド（２）の回転が起りやすく、打球方向のコントロールが難しい。
すなわち、図−１１に示す、ブレード（３）の背面部材（３Ｂ）の中央部（３Ｂ−ｃ）は中空になっていることから、ヘッド（２）の、回転力のバランスは、ブレード（３）の背面部材（３Ｂ）の先端部材（３Ｂ−ｂ）と、後端部材（３Ｂ−ａ）が、打球時の回転力に大きな影響を与え、更にカウンターウエイト（５）が、ヘッド（２）の先端に部材（５Ｂ）と、後端に部材（５Ａ）が取り付けられていることから、打球時に発生するヘッド（２）の回転力に、大きく影響を与える要素を抜き出すと、ブレード（３）の背面部材（３Ｂ）の先端部材（３Ｂ−ｂ）とカウンターウエイト（５）の先端部材（５Ｂ）があり、各々が、ヘッド（２）に取り付けられたネック（６）の位置（Ｏ）から遠い位置にあるため、シャフト（７）を持ってボールを打出すときには、ネック（６）の取り付け位置（Ｏ）を中心とする回転モーメントが大きく働き、結果、ヘッド（２）が回転し易くなって、打球方向や打力のコントロールを難しくしている。
【０００５】
【課題を解決するための手段】
本発明は、上記従来の課題を解決するための手段として、図−１に示すとおり、パター（１１）は、ヘッド（１２）と、該ヘッド（１２）に取り付けられた、ネック（１６）と、該ネック（１６）に取り付けられた、シャフト（１７）で構成されており、該ヘッド（１２）を、Ｙ軸方向で、垂直に切断をして、分解をすると、図−２に示すとおり、ブレード（１３）のフェース側部材（１３Ａ）と、該ブレード（１３）の背面部材（１３Ｂ）と、ソール部材（１４）の構成になる。このうち、ブレード（１３）の、背面部材（１３Ｂ）の中央部は、空洞（１５）になっており、該空洞部（１５）の中に、図−３に示す、バランス部材（２８）を取り付け、ヘッド全体の重量バランスを取ると共に、打球時に、過度なヘッド（２２）の回転力の発生を抑制して、打球方向のコントロールを容易にするゴルフクラブヘッドを提供するものである。
【０００６】
【発明の実施の形態】
図−３には本発明の第１実施例が示される。本実施例のパター（２２）は、図−１に示すパターヘッド（１２）を、Ｙ軸方向で垂直に切断をして、該ヘッド（１２）を分解すると、図−２に示す、ブレード（１３）の打球側垂直部材（１３Ａ）と、背面部材（１３Ｂ）と、水平部のソール部材（１４）とに分解ができる。
このうち、ブレード（１３）の、背面部材（１３Ｂ）の中央部は、空洞（１５）になっており、該空洞（１５）の中に、図−３に示す、バランス部材（２８）を取り付ける。
【０００７】
該バランス部材（２８）の取り付けは、ブレード（２３）の、背面部材（２３Ｂ）の中央部の空洞（２５）の中で、該空洞部（２５）の後端に、垂直部材（２８Ａ）と、該背面部材（２３Ｂ）の重心軸後方の水平部材（２８Ｂ）と、該重心軸の前方の水平部材（２８Ｃ）の、３個の部材が取り付けられている。
該バランス部材（２８）を取り付けることにより、ブレード（２３）の、背面部材（２３Ｂ）の先端部分（２３Ｂ−ｂ）の重量を軽減し、バランス部材（２８）に、ヘッドの重量を負担させることによって、ネックの取り付け位置（Ｏ）に働く、打球時の回転モーメントを小さくすることができ、打球時には、過度な回転力が働き難くなるので、打者は所定の方向にボールを打出すことが容易になる。  なお、バランス部材（２８）は、各々が、ヘッド（２２）の母材と同じ密度のものであっても良く、又各々がヘッド（２２）の母材と密度の異なる物であっても良い。更にバランス部材（２８）は個々に分離して取り付けても良く、一体化して取り付けても良い。又該バランス部材（２８）は、各々質量が異なっても良い。
【０００８】
図−４には本発明の第２実施例が示される。本実施例のパター（３２）は、図−１に示すパターヘッド（１２）を、Ｙ軸方向で垂直に切断をして、該ヘッド（１２）を分解すると、図−２に示す（ブレード（１３）の、打球側垂直部材（１３Ａ）と、背面部材（１３Ｂ）と、水平部のソール部材（１４）とに分解できる。
このうち、ブレード（１３）の背面部材（１３Ｂ）の中央部は、空洞（１５）になっており、該空洞（１５）の中に、図−４に示す、バランス部材（３８）を取り付け、なお、該ブレード（３３）の、背面部材（３３Ｂ）の打球側の面に、切りかぎ（３７）を設ける。
【０００９】
該バランス部材（３８）の取り付けは、ブレード（３３）の、背面部材（３３Ｂ）の中央部の空洞（３５）の中で、該空洞部（３５）の最後端に、垂直部材（３８Ａ）と、該背面部材（３３Ｂ）の重心軸後方に、水平部材（３８Ｂ）と、該重心軸の前方に水平部材（３８Ｃ）の３個のバランス部材が取り付けられている。
更にブレード（３３）の、背面部材（３３Ｂ）の、打球面側中央部に、垂直方向に切りかぎ（３７）を設ける。このことにより、バランス部材（３８）の取り付け位置は、該切り欠ぎ（３７）の厚み分をヘッドの後方へ寄せられている。
該バランス部材（３８）を取り付けることによって、、ブレード（３３）の、背面部材（３３Ｂ）の、先端部材（３３Ｂ−ｂ）の重量を軽減することができ、バランス部材（３８）に、ヘッドの重量を負担させることと、バランス部材（３８）の取り付け位置を、ブレード（３３）の後方へずらすことによって、ネックの取り付け位置（Ｏ）に働く打球時の回転モーメントを小さくすることができるので、打球時には、過度な回転力が働き難くなり、打者は、所定の方向にボールを打出すことが容易になる。この場合バランス部材（３８）の質量は、切り欠ぎ（３７）部の質量よりも大きくなっている。
なお、バランス部材（３８）は、各々が、ヘッド（３２）の母材と同じ密度の部材であっても良く、又各々が、ヘッド（３２）の母材と、密度の異なる物であっても良い。更にバランス部材（３８）を個々に分離して取り付けても良く、一体化して取り付けても良い。又該バランス部材（３８）は、各々質量が同じでも良く、異なっていても良い。
【００１０】
図−５には本発明の第３実施例が示される。本実施例のパターヘッド（４２）は、図−１に示す、パターヘッド（１２）を、Ｙ軸方向で垂直に切断をして、該ヘッド（１２）を分解すると、図−２に示すブレード（１３）の、打球面側垂直部材（１３Ａ）と、背面部材（１３Ｂ）と、水平部のソール部材（１４）とに分解ができる。
図−５に示す、ヘッド（４２）の分解図のうち、打球面背面で、且つ打球面側垂直部材（４３Ａ）の重心軸前後の中央付近に、バランス部材（４８）が取り付けられている。該バランス部材（４８）は、重心軸の前方にバランス部材（４８Ｂ）が、又重心軸の後方に、バランス部材（４８Ａ）が取り付けられており、該バランス部材（４８）はヘッド（４２）の母材よりも密度の大きいものが取り付けられている。且つ、バランス部材（４８Ａ）と、バランス部材（４８Ｂ）は、各々質量が同じでも良く、又は異なっても良い。なお該バランス部材（４８）はブレード（４３）の、垂直部材（４３Ａ）に取り付けられているが、該ブレード（４３）の、背面部材（４３Ｂ）の中央部にある、空洞（４５）部まで差し渡して取り付けられていても良い。
本発明は、該バランス部材（４８）を取り付けることにより、打球時に発生するヘッド（４２）の回転力の多少の主要因になる、ブレード（４３）の背面部材（４３Ｂ）の、先端部材（４３Ｂ−ｂ）の、重量の減量が容易になることから、打球時には、ネックの取り付け位置（Ｏ）に働く回転モーメントが小さくなり、ヘッド（４２）には過度な回転力が働きにくくなり、打者は所定の方向にボールを打出し易くなる。
【００１１】
図−６には本発明の第４実施例が示される。本実施例のパターヘッド（５２）は、図−１に示す、パターヘッド（１２）を、Ｙ軸方向で垂直に切断をして、該ヘッド（１２）を分解すると、図−２に示す、ブレード（１３）の、打球面側の垂直部材（１３Ａ）と、背面部材（１３Ｂ）と、水平部のソール部材（１４）とに分解ができる。
図−６に示す、ヘッド（５２）の分解図のうち、打球面の背面で、且つ打球側垂直部材（５３Ａ）の重心軸前後の中央付近に、バランス部材（５８）が取り付けられている。該バランス部材（５８）は、重心軸の後方に、縦方向の部材（５８Ａ）と水平方向の部材（５８Ｂ）と、重心軸の前方に水平方向の部材（５８Ｃ）が取り付けられており、該バランス部材（５８）はヘッド（５２）の母材よりも密度の大きい材料が取り付けられている。なおバランス部材（５８Ａ）、およびバランス部材（５８Ｂ）、（５８Ｃ）は、各々、質量が同じであっても良く、異なっていても良い。更に、該バランス部材（５８）は、ブレード（５３）の、打球面側の垂直部材（５３Ａ）に取り付けられているが、ブレード（５３）の、背面部材（５３Ｂ）の、中央部の空洞部（５５）まで差し渡して取り付けられていても良い。
本発明は、該バランス部材（５８）を取り付けることにより、打球時に発生する、ヘッド（５２）の回転力の、多少の主要因になる、ブレード（５３）の背面部材（５３Ｂ）の先端部材（５３Ｂ−ｂ）の重量の減量が容易になることから、打球時には、ネックの取り付け位置（Ｏ）に働く回転モーメントが小さくなり、ヘッド（５２）に過度な回転力が働きにくくなって、打者は所定の方向にボールを打出し易くなる。
【００１２】
図−７には本発明の第５実施例が示される。本実施例のパター（６１）は、円盤状または、楕円盤状の前部を切り欠いて、打球面を形成したヘッド（６２）に、ネック（６６）と、該ネック（６６）に取り付けられた、シャフト（６７）で構成されたパター（６１）が示されている。本発明は、該ヘッド（６２）の打球面の背面で、打球方向の、重心軸の前後の中央付近に、バランス部材（６８）を取り付けたものであり、該バランス部材（６８）は、ヘッド（６２）の重心軸後方に、縦方向のバランス部材（６８Ａ）と、水平方向のバランス部材（６８Ｂ）と、ヘッド（６２）の重心軸の前方に、水平方向のバランス部材（６８Ｃ）の、３個のバランス部材が取り付けられている。
該バランス部材（６８）は、ヘッド（６２）の母材よりも、密度の大きいものを取り付けており、打球時に発生する、過度なヘッドの回転力を抑制するために、ヘッドバランス部材（６８）を、ヘッド（６２）の重心軸前後の該ヘッド（６２）の中央付近に取り付けることにより、ネック（６６）の取り付け部（Ｏ）と、バランス部材（６８）との距離が短くなることにより、該ネック（Ｏ）に働く回転モーメントの抑制が容易になり、ヘッド（６２）の回転力を小さくできるので、打者は、打力のコントロールがし易くなり、所定の方向にボールを打出し易くなる。
なお３個の該ヘッドバランス部材（６８Ａ）と、（６８Ｂ）、（６８Ｃ）は、各々質量は同じでも良く、質量が異なっても良い。又各々のヘッドバランス部材（６８Ａ）と（６８Ｂ）、（６８Ｃ）は、各々分離させて取り付けても良く、あるいは１体で取り付けても良い。
【００１３】
図−８には本発明の第６実施例が示される。本実施例のパター（７１）は、打球方向のＸ軸で垂直に切断すると、ブレード（７３）の垂直部材と、水平のソール部材（７４）とで構成され、断面形状がＬ型をしたヘッド（７２）に、ネック（７６）が取り付けられており、該ネック（７６）に、シャフト（７７）が取り付けられたパター（７１）が示されている。
本発明は、該ヘッド（７２）の、Ｘ軸方向の、重心軸の前後の、ヘッド（７２）の中央付近に、２個の、四角形の箱型をした、空洞部（７９）を設ける。該空洞部（７９）は、ヘッド（７２）の、重心軸の後方に、四角形の箱型をした空洞部（７９Ａ）を、ブレード（７３）の打球面に近い位置に設け、一方、ヘッド（７２）の重心軸の前方に、四角形の箱型をした空洞部（７９Ｂ）を、ブレード（７３）の背面側に設ける。、該空洞部（７９Ａ）と、（７９Ｂ）は、ブレード（７３）の厚みの中で、互いに、打球方拘に位置をずらして取り付けられている。
該ヘッド（７２）の中央部に、空洞部（７９Ａ）および（７９Ｂ）を設けることによって、打球時に、ヘッド（７２）に取り付けられた、ネック（７６）の取り付け部（Ｏ）を中心として働く、ヘッド（７２）の回転力を、ネック（７６）の取り付け位置（Ｏ）に近い位置、いわゆる、ブレード（７３）の厚みの中で、又ヘッド（７２）の重心軸の前後付近で、ブレード（７３）の重量バランスを取ることにより、打者は、打球時に、ヘッド（７２）の回転モーメントの働きを敏感に感じ取ることができ、所定の方向に、ボールを、コントロールして打出し易くなる。
なお、空洞部（７９）は、四角形の箱型以外の形状でも良く、又、各々の空洞部の大きさは、同じでも良く、あるいは、各々、大きさの異なるものを設けても良い。
【００１４】
図−９には本発明の第７実施例が示される。本実施例のパター（８１）は、円盤状、又は、楕円盤上の前部を切り欠いて打球面を形成した、ヘッド（８２）に、ネック（８６）と、該ネック（８６）に取り付けられた、シャフト（８７）で構成されたパター（８１）が示されている。
本発明は、該ヘッド（８２）の、Ｘ軸方向での、重心軸の前後の、ヘッド（８２）の中央付近で、且つ、打球面の背面に、２個の、四角形の箱型をした空洞部（８９）を設ける。
該空洞部（８９）は、ヘッド（８２）の重心軸の後方で、且つ、打球面に近い位置に、四角形の箱型をした、空洞部（８９Ａ）を設け、更に、ヘッド（８２）の重心軸の前方で、且つ、打球方向で、空洞部（８９Ａ）の後方に位置して、四角形をした箱型の空洞部（８９Ｂ）が設けられている。
該ヘッド（８２）の、打球面背面の、重心軸に近い、中央付近で、空洞部（８９Ａ）および（８９Ｂ）を設けることによって、打球時に、ヘッド（８２）に取り付けられた、ネック（８６）の取り付け部（Ｏ）を中心として働く、ヘッド（８２）の、回転モーメントによる回転力を、ネック（８６）の取り付け位置（Ｏ）に近い位置、いわゆる、重心軸の前後部分で、しかも打球面の背面近くで、ヘッド（８２）の重量差を付け、該ヘッド（８２）の重量バランスを取ることにより、打者は、ヘッド（８２）の回転モーメントの働きを敏感に感じ取ることができ、所定の方向にボールをコントロールして打出し易くなる。
なお、空洞部（８９）は、四角形の箱型以外の形状でも良く、又、各々の空洞部の大きさは同じでも良く、あるいは、各々大きさの異なるものであっても良い。
【００１５】
上記、各実施例は、パターに関するものであるが、本発明は、パター以外、アイアンやウッド等のゴルフクラブヘッドにも適用することができる。又各実施例以外に、ヘッドはどのような形にでも適用することができる。
【００１６】
【発明の効果】
本発明は、ヘッドの打球面の背面で、且つヘッドの長手方向の重心軸に近い、ヘッドの中央付近に、ヘッドの重量バランス部材を取り付けたり、又、空洞部を設けることによって、打球時に働く、過度な回転モーメントによる、ヘッドの回転力を抑制することができるので、打者が、所定の方向に、ボールを打ち出し易くすることができる。
【図面の簡単な説明】
【図１】パターの斜視図
【図２】ヘッドの分解斜視図
【図３】ヘッドの分解斜視図
【図４】ヘッドの分解斜視図
【図５】ヘッドの分解斜視図
【図６】ヘッドの分解斜視図
【図７】パターの斜視図
【図−８】パターの斜視図
【図９】パターの斜視図
【図１０】パターの斜視図
【図１１】ヘッドの分解斜視図
【符号の説明】
１，１１，２１，３１，４１，５１，６１，７１，８１    パター
２，１２，２２，３２，４２，５２，６２，７２，８２    ヘッド
３，１３，２３，３３，４３，５３，７３、              ブレード
４，１４，２４，３４，４４，５４，７４                ソール
５、                                                  バランス
６，１６，６６，７６，８６、                          ネック
７，１７，６７，７７，８７                            シャフト
１５，２５，３５，４５，５５                          空洞
２８，３８，４８，５８，６８                          バランス部材
７９，８９                                            空洞
【図１】
2004181183.tif 000003
【図２】
2004181183.tif 000004
【図３】
2004181183.tif 000005
【図４】
2004181183.tif 000006
【図５】
2004181183.tif 000007
【図６】
2004181183.tif 000008
【図７】
2004181183.tif 000009
【図８】
2004181183.tif 000010
【図９】
2004181183.tif 000011
【図１０】
2004181183.tif 000012
【図１１】
2004181183.tif 000013